(57)【要約】  蝶棒に斜面を設けることなく、スライダーに蝶棒を挿入する際にロック部材の爪部を押し上げることができ、また、ロック解除装置を設けることなく、左右のファスナーエレメントを噛合することができるスライドファスナー用スライダーを提供する。  胴体２０と、胴体２０の上面に立設される柱部３１に揺動可能に支持されるロック部材４０と、柱部３１及びロック部材４０を上方から覆うカバー部材５０と、を備え、ロック部材４０は、胴体２０の上面に配置される本体部４０ａと、本体部４０ａから突設され、胴体２０のエレメント案内路２７に入り込む爪部４５と、を有し、爪部４５の一側面には、爪部４５の先端に向けて爪部４５を漸次先細状とする斜面４６が形成され、爪部４５の他側面には、爪部４５の板厚Ｗ２を本体部４０ａの板厚Ｗ１よりも薄くする段部４７が形成される。
2012147181.tif 000002
【特許請求の範囲】
【請求項１】
胴体（２０，１２０）と、
前記胴体の上面に立設される柱部（３１，１３１）に揺動可能に支持されるロック部材（４０，１４０）と、
前記柱部及び前記ロック部材を上方から覆うカバー部材（５０，１５０）と、を備え、
前記ロック部材は、前記胴体の上面に配置される本体部（４０ａ，１４０ａ）と、前記本体部から突設され、前記胴体のエレメント案内路（２７，１２７）に入り込む爪部（４５，１４５）と、を有するスライドファスナー用スライダー（１０，１１０）であって、
前記爪部の一側面には、前記爪部の先端に向けて前記爪部を漸次先細状とする斜面（４６）が形成され、
前記爪部の他側面には、前記爪部の板厚（Ｗ２）を前記本体部の板厚（Ｗ１）よりも薄くする段部（４７）が形成されることを特徴とするスライドファスナー用スライダー。
【請求項２】
前記爪部（４５，１４５）の突設方向において、前記段部（４７）の形成範囲（Ａ１）が、前記斜面（４６）の形成範囲（Ａ２）よりも大きいことを特徴とする請求項１に記載のスライドファスナー用スライダー（１０，１１０）。
【請求項３】
前記斜面（４６）は、スライドファスナー（８０）の開離嵌挿具（８５）の蝶棒（８８）と接触して前記爪部（４５，１４５）が押し上げられることを特徴とする請求項１又は２に記載のスライドファスナー用スライダー（１０，１１０）。
【請求項４】
胴体（２０，１２０）と、
前記胴体の上面に立設される柱部（３１，１３１）に揺動可能に支持されるロック部材（４０，１４０）と、
前記柱部及び前記ロック部材を上方から覆うカバー部材（５０，１５０）と、を備え、
前記ロック部材は、前記胴体のエレメント案内路（２７，１２７）に入り込む爪部（４５，１４５）を有するスライドファスナー用スライダー（１０，１１０）であって、
前記爪部の一側面には、スライドファスナー（８０）の開離嵌挿具（８５）の蝶棒（８８）と接触して前記爪部が押し上げられる斜面（４６）が形成されることを特徴とするスライドファスナー用スライダー。
【発明の詳細な説明】
【技術分野】
【０００１】
本発明は、スライドファスナー用スライダーに関し、より詳細には、自動停止機能付きのスライドファスナー用スライダーに関する。
【背景技術】
【０００２】
従来のスライドファスナー用スライダーとしては、胴体と、胴体に揺動可能に支持されるロック部材と、胴体の上面に前端部が固定されて片持状に取り付けられるカバー部材と、カバー部材の後端部と胴体の上翼板との間に形成される間隙を開閉するように胴体に摺動可能に設けられる開閉部材と、開閉部材を間隙の閉鎖位置に付勢するコイルばねと、を備え、胴体とカバー部材との間に引手を着脱可能に保持するものが知られている（例えば、特許文献１参照）。
【先行技術文献】
【特許文献】
【０００３】
【特許文献１】日本国特開２００８−２２８８０８号公報
【発明の概要】
【発明が解決しようとする課題】
【０００４】
衣類における左右前身頃の開閉を行うためのスライドファスナーとして、ファスナーエレメント列の端部に、箱棒と蝶棒を備えた開離嵌挿具付きのスライドファスナーが用いられている。ところで、上記特許文献１に記載のスライドファスナー用スライダーを、開離嵌挿具を備えるスライドファスナーに取り付けた場合、開離嵌挿具の閉じる操作性を向上するため、スライダーに開離嵌挿具の蝶棒を挿入する際にロック部材の爪部が押し上げられるように、蝶棒の先端部に斜面を設けることがある。しかし、蝶棒に斜面を設ける場合、蝶棒の肉厚が薄くなるため、蝶棒の強度にバラツキが発生する可能性があった。【０００５】
また、上記特許文献１に記載のスライドファスナー用スライダーでは、ロック部材の爪部とファスナーエレメントとを係合させる際、爪部を噛み合おうとする左右のファスナーエレメント列の間の隙間に入り込ませる必要があるが、この隙間は狭く、爪部を入り込ませることが困難であった。また、スライドファスナーの仕上げ工程において、左右のファスナーエレメントを噛合する際に、ロック部材の爪部と係合しない側のファスナーエレメントとロック部材の爪部が接触しないように、ロック部材を押し上げるロック解除装置が必要になるため、スライドファスナーの製造コストが増加してしまっていた。【０００６】
本発明は、前述した事情に鑑みてなされたものであり、その目的は、蝶棒に斜面を設けることなく、スライダーに蝶棒を挿入する際にロック部材の爪部を押し上げることができ、また、ロック解除装置を設けることなく、左右のファスナーエレメントを噛合することができるスライドファスナー用スライダーを提供することにある。
【課題を解決するための手段】
【０００７】
本発明の上記目的は、下記の構成により達成される。
（１）胴体と、胴体の上面に立設される柱部に揺動可能に支持されるロック部材と、柱部及びロック部材を上方から覆うカバー部材と、を備え、ロック部材は、胴体の上面に配置される本体部と、本体部から突設され、胴体のエレメント案内路に入り込む爪部と、を有するスライドファスナー用スライダーであって、爪部の一側面には、爪部の先端に向けて爪部を漸次先細状とする斜面が形成され、爪部の他側面には、爪部の板厚を本体部の板厚よりも薄くする段部が形成されることを特徴とするスライドファスナー用スライダー。
（２）爪部の突設方向において、段部の形成範囲が、斜面の形成範囲よりも大きいことを特徴とする（１）に記載のスライドファスナー用スライダー。
（３）斜面は、スライドファスナーの開離嵌挿具の蝶棒と接触して爪部が押し上げられることを特徴とする（１）又は（２）に記載のスライドファスナー用スライダー。
（４）胴体と、胴体の上面に立設される柱部に揺動可能に支持されるロック部材と、柱部及びロック部材を上方から覆うカバー部材と、を備え、ロック部材は、胴体のエレメント案内路に入り込む爪部を有するスライドファスナー用スライダーであって、爪部の一側面には、スライドファスナーの開離嵌挿具の蝶棒と接触して爪部が押し上げられる斜面が形成されることを特徴とするスライドファスナー用スライダー。
【発明の効果】
【０００８】
本発明のスライドファスナー用スライダーによれば、爪部の一側面に、爪部の先端に向けて爪部を漸次先細状とする斜面が形成されるため、スライダーに開離嵌挿具の蝶棒を挿入する際に蝶棒が斜面に接触して、ロック部材の爪部を押し上げることができる。これにより、開離嵌挿具の閉じる操作性を向上することができる。【０００９】
また、爪部の他側面に、爪部の板厚を本体部の板厚よりも薄くする段部が形成されるため、爪部と、スライドファスナーの爪部と係合しない側のファスナーエレメントとの接触が回避される。これにより、ロック解除装置を設けることなく、左右のファスナーエレメントを噛合させることができるので、スライドファスナーの製造コストを削減することができる。
【図面の簡単な説明】
【００１０】
【図１】本発明に係るスライドファスナー用スライダーの第１実施形態を説明する分解斜視図である。
【図２】図１に示すスライドファスナー用スライダーの引手が装着されていない状態の縦断面図である。
【図３】図１に示すロック部材を左側から見た斜視図である。
【図４】図１に示すロック部材を右側から見た斜視図である。
【図５】図１に示す爪部の拡大後面図である。
【図６】引手の軸部が挿通間隙に押し込まれた状態を説明するスライダーの縦断面図である。
【図７】引手の軸部が開閉部材の谷部に入り込んだ状態を説明するスライダーの縦断面図である。
【図８】引手の軸部が挿通間隙に更に押し込まれた状態を説明するスライダーの縦断面図である。
【図９】引手の軸部がロック部材の作動凹部に収容された状態を説明するスライダーの縦断面図である。
【図１０】本発明に係るスライドファスナー用スライダーが取り付けられたスライドファスナーにおいて、スライダーに開き具の蝶棒が挿入される状態を説明する一部切欠拡大平面図である。
【図１１】蝶棒が爪部の斜面に接触した状態を説明する要部拡大断面図である
【図１２】蝶棒により爪部が押し上げられた状態を説明する要部拡大断面図である
【図１３】左右一対のファスナーテープが移動され、左右のファスナーエレメントが噛合する状態を説明する要部拡大平面図である。
【図１４】本発明に係るスライドファスナー用スライダーの第２実施形態を説明する分解斜視図である。
【図１５】図１４に示すスライドファスナー用スライダーの引手が装着されていない状態の縦断面図である。
【図１６】引手を胴体に着脱不可能な自動停止機能付きスライダーのロック部材の斜視図である。
【発明を実施するための形態】
【００１１】
以下、本発明に係るスライドファスナー用スライダーの各実施形態について、図面に基づいて詳細に説明する。なお、以後の説明において、上側とは図２の紙面に対して上側、下側とは図２の紙面に対して下側、前側とは図２の紙面に対して左側、後側とは図２の紙面に対して右側、右側とは図２の紙面に対して奥側、左側とは図２の紙面に対して手前側とする。また、スライダーの左右方向は幅方向ともいう。
【００１２】
（第１実施形態）
まず、図１〜図１３を参照して、本発明に係るスライドファスナー用スライダーの第１実施形態について説明する。
【００１３】
本実施形態のスライドファスナー用スライダー１０は、引手を胴体に着脱可能な自動停止機能付きスライダーであって、図１及び図２に示すように、胴体２０を備えており、この胴体２０は、上下方向に離間して並行に配置される上翼板２１及び下翼板２２と、上翼板２１及び下翼板２２を前端部において連結する案内柱２３と、上翼板２１の左右両側縁に沿って下方に向けて突設される上側フランジ２４ａと、下翼板２２の左右両側縁に沿って上方に向けて突設される下側フランジ２４ｂと、を備える。これにより、胴体２０の前部には案内柱２３により分離された左右の肩口２５が形成され、胴体２０の後部には後口２６が形成される。そして、上翼板２１と下翼板２２との間には、左右の肩口２５と後口２６とを連通する略Ｙ字状のエレメント案内路２７が形成され、このエレメント案内路２７は、図１３の左右一対のファスナーエレメント列８２を挿通させる通路を構成する。
【００１４】
また、スライドファスナー用スライダー１０は、上翼板２１の上面の前端部に立設される柱部３１に上下に揺動可能に支持されるロック部材４０と、上翼板２１の上面の前端部に前端部が固定されて片持状に取り付けられ、柱部３１及びロック部材４０を上方から覆うカバー部材５０と、カバー部材５０の後端部と上翼板２１との間に形成され、引手１５の軸部１５ａが挿通される間隙Ｓ（以下、「挿通間隙Ｓ」と称する）を開閉する開閉部材６０と、を備える。
【００１５】
柱部３１は、ロック部材４０が嵌め込み可能な間隔をあけて離間した左右の壁部３１ａ，３１ｂと、左右の壁部３１ａ，３１ｂ間に形成される支持凸部３２と、を有する。
【００１６】
ロック部材４０は、図２〜図４に示すように、上翼板２１の上面に配置される本体部４０ａを有しており、この本体部４０ａは、胴体２０の柱部３１に支持される基部４１と、基部４１から後方に向けてそれぞれ延び、上下方向に対向して配置される上片部４２及び下片部４３と、を有する。また、上片部４２と下片部４３との間には、取付状態において、後口２６側に向かって開口し、引手１５の軸部１５ａを収容する作動凹部４４が形成されている。また、下片部４３の先端部には、上翼板２１に形成される爪穴３３を介してエレメント案内路２７に入り込む爪部４５が下方に向けて形成されている。また、基部４１の下面には、柱部３１の支持凸部３２に揺動可能に支持される支持凹部４１ａが形成されている。また、爪穴３３は、上翼板２１の上面からエレメント案内路２７に貫通している。
【００１７】
また、図３〜図５に示すように、ロック部材４０の爪部４５の右側面には、爪部４５の右側面から左側面に接近するように傾斜し、爪部４５の先端に向けて爪部４５を漸次先細状とする斜面４６が形成されている。このため、図１０〜図１２に示すように、スライダー１０にスライドファスナー８０の開き具（開離嵌挿具）８５の蝶棒８８が挿入されることにより、蝶棒８８が斜面４６に接触して、蝶棒８８により爪部４５が押し上げられる。
【００１８】
スライドファスナー８０は、図１０に示すように、左右一対のファスナーテープ８１と、左右一対のファスナーテープ８１の対向するテープ側縁部８１ａに沿って設けられる複数のファスナーエレメント８２ａを有する左右一対のファスナーエレメント列８２と、左右一対のファスナーエレメント列８２を噛合・分離させる本発明のスライダー１０と、左右一対のファスナーテープ８１のテープ側縁部８１ａの下端部に形成される開き具８５と、を備える。
【００１９】
開き具８５は、左側のファスナーテープ８１のテープ側縁部８１ａの下端部に形成される箱棒８６及び箱体８７と、右側のファスナーテープ８１のテープ側縁部８１ａの下端部に形成され、箱体８７に挿入可能な蝶棒８８と、を備える。なお、本実施形態では、開離嵌挿具として開き具８５を採用しているが、これに限定されず、開き具８５の代わりに、箱棒と蝶棒で構成される逆開き具を採用してもよい。
【００２０】
さらに、図３〜図５に示すように、ロック部材４０の爪部４５の左側面には、爪部４５の左側面から右側面側に窪み、爪部４５の板厚Ｗ２を本体部４０ａの板厚Ｗ１よりも薄くする段部４７が形成されている。このため、図１３に示すように、スライダー１０が摺動して、左右のファスナーエレメント８２ａが噛合する際における、爪部４５と左側（爪部４５と係合しない側）のファスナーエレメント８２ａとの接触が回避される。
【００２１】
また、本実施形態では、図５に示すように、爪部４５の突設方向（上下方向）において、段部４７の形成範囲Ａ１が、斜面４６の形成範囲Ａ２よりも大きく設定されている。具体的には、ロック部材４０の上下方向において、段部４７の形成範囲Ａ１が、爪部４５の先端から爪部４５の基端（下片部４３と爪部４５の境界部分）の近傍まで形成されているのに対して、斜面４６の形成範囲Ａ２は、爪部４５の先端の近傍にのみ形成されている。また、形成範囲Ａ１は、形成範囲Ａ２の１．５〜２．５倍の大きさが好ましい。
【００２２】
カバー部材５０は、図１及び図２に示すように、上向きに凸状に湾曲した天板５１と、天板５１の両側縁から下方に延びる左右一対の側面板５２と、天板５１の前端部から下方に延びる前面板５３と、天板５１の後端部から下方に延びる後面板５４と、を有する。また、カバー部材５０の中間部において左右一対の側面板５２の下端面には、退避部５５及び引手収容部５６が、胴体２０に対向して下向きに凹状に形成されている。また、退避部５５と引手収容部５６との間には、下方に延びる突片５７が形成されている。
【００２３】
また、左右一対の側面板５２の前端側下端部には、上翼板２１の前端部に形成される嵌合溝３４に嵌合する嵌合片５８がそれぞれ形成されている。そして、この嵌合片５８を嵌合溝３４に嵌合し、左右一対の側面板５２を柱部３１の左右の壁部３１ａ，３１ｂの外側面に形成される凹部３１ｃにかしめることによって、カバー部材５０は、その前端部が上翼板２１の前端部に固定され、胴体２０に対して前後方向に沿って片持状に取り付けられる。また、嵌合溝３４は、柱部３１の左右にそれぞれ形成され、胴体２０の前後方向に延びている。また、嵌合片５８は、カバー部材５０の左右一対の側面板５２の下端から側方へ突出している。
【００２４】
また、ロック部材４０とカバー部材５０との間には、ロック部材４０の爪部４５がエレメント案内路２７に入り込むように付勢する長方形の板ばね７０が設けられている。この板ばね７０の前後端部には、係止凹部７１がそれぞれ形成されており、この前後の係止凹部７１を、カバー部材５０の天板５１の前後に形成される係止凸部５１ａにそれぞれ係止させることにより、カバー部材５０内に板ばね７０が装着される。また、係止凸部５１ａは、カバー部材５０の内部（天板５１、左右一対の側面板５２、前面板５３、及び後面板５４により囲まれた空間内）に配置されている。
【００２５】
開閉部材６０は、図１及び図２に示すように、胴体２０に取り付けられた状態においてロック部材４０と接触しないように、平面視略Ｕ字状に形成されており、開閉部材６０の後端部に形成され、側面視略台形状の第１閉鎖部６１と、開閉部材６０の前端部に形成され、側面視略台形状の第２閉鎖部６２と、第１閉鎖部６１と第２閉鎖部６２との間に形成される凹状の谷部６３と、を有する。
【００２６】
また、開閉部材６０の両側面の下端部には、上翼板２１の後部上面に前後方向に沿って形成されるガイド溝３５にスライド可能に嵌合するガイド部６４がそれぞれ形成されている。これにより、開閉部材６０は、胴体２０に対して前後方向に摺動可能に設けられる。また、開閉部材６０の前端部とガイド溝３５内に形成されるばね保持溝３５ａとの間には、コイルばね１２が縮設されており、開閉部材６０は、このコイルばね１２の付勢力により、後口２６側に常時付勢されている。
【００２７】
また、上翼板２１の上面の後端部には、開閉部材６０を挿通間隙Ｓを閉鎖する間隙閉鎖位置にて停止すると共に、開閉部材６０のガイド溝３５からの離脱を阻止する左右一対のストッパ３６が形成されている。そして、開閉部材６０を挿通間隙Ｓを開放する間隙開放位置へとスライドさせ、引手１５の軸部１５ａを挿通間隙Ｓに挿通させることにより、軸部１５ａは、ロック部材４０の作動凹部４４内に収容される。
【００２８】
次に、図６〜図９を参照して、スライドファスナー用スライダー１０に引手１５を取り付ける手順を説明する。
【００２９】
まず、図６に示すように、引手１５の軸部１５ａを挿通間隙Ｓ内に後方から前方に押し込むことにより、開閉部材６０が前方にスライドして、引手１５の軸部１５ａがカバー部材５０の退避部５５内に入り込むと共に、図７に示すように、開閉部材６０が後方にスライドして、引手１５の軸部１５ａが開閉部材６０の第１閉鎖部６１及び第２閉鎖部６２間の谷部６３に入り込む。
【００３０】
次いで、図８に示すように、引手１５の軸部１５ａを挿通間隙Ｓ内において更に前方に押し込むことにより、開閉部材６０が前方にスライドして、引手１５の軸部１５ａがカバー部材５０の引手収容部５６内にロック部材４０を上方に持ち上げながら入り込むと共に、図９に示すように、開閉部材６０が後方にスライドして、引手１５の軸部１５ａがロック部材４０の作動凹部４４内に収容される。
【００３１】
このように構成されたスライドファスナー用スライダー１０では、図１０に示すように、スライダー１０に開き具８５の蝶棒８８が挿入されることにより、図１１及び図１２に示すように、蝶棒８８の角部が爪部４５の斜面４６に接触して、蝶棒８８の角部により爪部４５が押し上げられる。このため、スライダー１０に蝶棒８８を挿入することにより爪部４５が押し上げられるので、開き具８５の閉じる操作性が向上される。
【００３２】
また、図１３に示すように、スライドファスナー８０の仕上げ工程において、左右一対のファスナーテープ８１が移動されスライダー１０が摺動することにより（なお、仕上げ工程では、スライダー１０は治具で固定されており、ファスナーテープ８１側が搬送装置により移動される。）、左右のファスナーエレメント８２ａがエレメント案内路２７内で噛合されるが、この際、爪部４５の段部４７により、爪部４５と左側のファスナーエレメント８２ａとの接触が回避される。このため、ロック部材４０を押し上げることなく、左右一対のファスナーテープ８１を移動することが可能となるので、ロック解除装置を別途用意する必要はない。また、爪部４５と右側のファスナーエレメント８２ａとの接触については、ファスナーエレメント８２ａが噛合する方向の移動であれば、爪部４５の前側の斜面により爪部４５がファスナーエレメント８２ａを順次乗り越えるので、左右一対のファスナーテープ８１の移動を阻害するような問題は生じない。
【００３３】
以上説明したように、本実施形態のスライドファスナー用スライダー１０によれば、爪部４５の右側面に、爪部４５の先端に向けて爪部４５を漸次先細状とする斜面４６が形成されるため、スライダー１０に蝶棒８８を挿入する際に蝶棒８８が斜面４６に接触して、爪部４５を押し上げることができる。これにより、開き具８５の閉じる操作性を向上することができる。
【００３４】
また、爪部４５の左側面に、爪部４５の板厚Ｗ２を本体部４０ａの板厚Ｗ１よりも薄くする段部４７が形成されるため、爪部４５と左側のファスナーエレメント８２ａとの接触が回避される。これにより、ロック解除装置を設けることなく、左右のファスナーエレメント８２ａを噛合させることができるので、スライドファスナー８０の製造コストを削減することができる。
【００３５】
また、本実施形態のスライドファスナー用スライダー１０によれば、爪部４５に斜面４６及び段部４７を形成して、爪部４５を先細状に形成したので、爪部４５とファスナーエレメント８２ａを係合させる際に、噛み合おうとする左右のファスナーエレメント列８２ａの間の狭い隙間に爪部４５を入り易くすることができる。
【００３６】
また、本実施形態のスライドファスナー用スライダー１０によれば、段部４７により爪部４５の板厚Ｗ２を薄くしたとしても、ロック部材４０の本体部４０ａ（基部４１、上片部４２、及び下片部４３）の板厚Ｗ１が厚いままであるので、本体部４０ａの強度を維持することができる。
【００３７】
（第２実施形態）
次に、図１４及び図１５を参照して、本発明に係るスライドファスナー用スライダーの第２実施形態について説明する。なお、上記第１実施形態と同一又は同等部分については、図面に同一符号を付してその説明を省略或いは簡略化する。
【００３８】
本実施形態では、上記第１実施形態と同様に、図１４及び図１５に示すスライドファスナー用スライダー１１０のロック部材１４０の爪部１４５の右側面に斜面４６が形成されると共に、爪部１４５の左側面に段部４７が形成されている。
【００３９】
スライドファスナー用スライダー１１０は、引手を胴体に着脱可能な自動停止機能付きスライダーであって、図１４及び図１５に示すように、胴体１２０を備えており、この胴体１２０は、上下方向に離間して並行に配置される上翼板１２１及び下翼板１２２と、上翼板１２１及び下翼板１２２を前端部において連結する案内柱１２３と、上翼板１２１の左右両側縁に沿って下方に向けて突設される上側フランジ１２４ａと、下翼板１２２の左右両側縁に沿って上方に向けて突設される下側フランジ１２４ｂと、を備える。これにより、胴体１２０の前部には案内柱１２３により分離された左右の肩口１２５が形成され、胴体１２０の後部には後口１２６が形成される。そして、上翼板１２１と下翼板１２２との間には、左右の肩口１２５と後口１２６とを連通する略Ｙ字状のエレメント案内路１２７が形成され、このエレメント案内路１２７は、図１３の左右一対のファスナーエレメント列８２を挿通させる通路を構成する。
【００４０】
また、スライドファスナー用スライダー１１０は、上翼板１２１の上面の前端部に立設される柱部１３１に上下に揺動可能に支持されるロック部材１４０と、柱部１３１及びロック部材１４０を上方から覆うカバー部材１５０と、柱部１３１、ロック部材１４０、及びカバー部材１５０を貫通し、ロック部材１４０の回転中心となるピン１１１と、カバー部材１５０の後端部と上翼板１２１との間に形成され、引手１５の軸部１５ａが挿通される挿通間隙Ｓを開閉する開閉部材１６０と、を備える。
【００４１】
柱部１３１は、ロック部材１４０が嵌め込み可能な間隔をあけて離間した左右の壁部１３１ａ，１３１ｂを有しており、この左右の壁部１３１ａ，１３１ｂには、ピン１１１が挿通されるピン挿通穴１３１ｃが幅方向に沿ってそれぞれ形成されている。
【００４２】
ロック部材１４０は、図１４及び図１５に示すように、上翼板１２１の上面に配置される本体部１４０ａを有しており、この本体部１４０ａは、ピン１１１が挿通されるピン挿通穴１４１ａを有する基部１４１と、基部１４１から後方に向けてそれぞれ延び、上下方向に対向して配置される上片部１４２及び下片部１４３と、を有する。また、上片部１４２と下片部１４３との間には、取付状態において、後口１２６側に向かって開口し、引手１５の軸部１５ａを収容する作動凹部１４４が形成されている。また、下片部１４３の先端部には、上翼板１２１に形成される爪穴１３３を介してエレメント案内路１２７に入り込む爪部１４５が下方に向けて形成されている。また、爪穴１３３は、上翼板１２１の上面からエレメント案内路１２７に貫通している。
【００４３】
カバー部材１５０は、図１４及び図１５に示すように、上向きに凸状に湾曲した天板１５１と、天板１５１の両側縁から下方に延びる左右一対の側面板１５２と、天板１５１の前端部から下方に延びる前面板１５３と、天板１５１の後端部から下方に延びる後面板１５４と、を有する。また、左右一対の側面板１５２の後部の下面には、退避部１５５及び引手収容部１５６が、胴体１２０に対向して下向きに凹状に形成されている。また、退避部１５５と引手収容部１５６との間には、下方に延びる突片１５７が形成されている。
【００４４】
そして、ロック部材１４０は、柱部１３１の左右の壁部１３１ａ，１３１ｂ間に挿入され、ロック部材１４０のピン挿通穴１４１ａ及び左右の壁部１３１ａ，１３１ｂのピン挿通穴１３１ｃにピン１１１が挿通されることにより、胴体１２０に対して上下に揺動可能に軸支される。また、ピン１１１は、カバー部材１５０の左右一対の側面板１５２に形成される貫通穴１５２ａに挿入されており、カバー部材１５０は、ピン１１１を介して柱部１３１に対して固定される。
【００４５】
また、図１５に示すように、ロック部材１４０は、スライダー１１０に内蔵された第１コイルばね１１２により、ロック部材１４０の爪部１４５がエレメント案内路１２７に入り込むように付勢されている。具体的には、ロック部材１４０の基部１４１の下面に形成されるばね受け面１４１ｂと案内柱１２３に形成されるばね保持孔１２３ａとの間に、第１コイルばね１１２が縮設されており、ロック部材１４０は、この第１コイルばね１１２の付勢力をばね受け面１４１ｂが受けることによりピン１１１を支点にして揺動し、爪部１４５が爪穴１３３からエレメント案内路１２７に突出するように常時付勢されている。なお、ばね受け面１４１ｂは、ロック部材１４０の基部１４１のピン挿通穴１４１ａの前方且つ下方部分において、ロック部材１４０の上方へ段差状に窪んだ面に形成される。また、ばね保持孔１２３ａは、スライダー１１０の上下方向に沿って延びており、第１コイルばね１１２を載せるための底面を有する。
【００４６】
開閉部材１６０は、図１４及び図１５に示すように、胴体１２０に取り付けられた状態においてロック部材１４０と接触しないように、平面視略Ｕ字状に形成されており、開閉部材１６０の後端部に形成され、側面視略台形状の第１閉鎖部１６１と、開閉部材１６０の前端部に形成され、側面視略台形状の第２閉鎖部１６２と、第１閉鎖部１６１と第２閉鎖部１６２との間に形成される凹状の谷部１６３と、を有する。
【００４７】
また、開閉部材１６０の両側面の下端部には、上翼板１２１の後部上面に前後方向に沿って形成されるガイド溝１３５にスライド可能に嵌合するガイド部１６４がそれぞれ形成されている。これにより、開閉部材１６０は、胴体１２０に対して前後方向に摺動可能に設けられる。また、開閉部材１６０の前端部とガイド溝１３５内に形成されるばね保持溝１３５ａとの間には、第２コイルばね１１３が縮設されており、開閉部材１６０は、この第２コイルばね１１３の付勢力により、後口１２６側に常時付勢されている。
【００４８】
また、上翼板１２１の上面の後端部には、開閉部材１６０を挿通間隙Ｓを閉鎖する間隙閉鎖位置にて停止すると共に、開閉部材１６０のガイド溝１３５からの離脱を阻止する左右一対のストッパ１３６が形成されている。そして、開閉部材１６０を挿通間隙Ｓを開放する間隙開放位置へとスライドさせ、引手１５の軸部１５ａを挿通間隙Ｓに挿通させることにより、軸部１５ａは、ロック部材１４０の作動凹部１４４内に収容される。
その他の構成及び作用効果については、上記第１実施形態と同様である。
【００４９】
なお、本発明は上記実施形態に例示したものに限定されるものではなく、本発明の要旨を逸脱しない範囲において適宜変更可能である。
例えば、上記実施形態では、本発明を引手を胴体に着脱可能な自動停止機能付きスライダーに適用する場合を例示したが、これに限定されず、引手を胴体に着脱不可能な自動停止機能付きスライダーに本発明を適用してもよい。なお、この種のスライダーは、図１６に示すようなロック部材２４０を備え、このロック部材２４０は、基部２４１と基部２４１から後方に延びる単一の腕部２４２とを有する本体部２４０ａと、腕部２４２の先端部から下方に向けて突設される爪部２４５と、を備える。この爪部２４５の右側面に斜面４６が形成され、左側面に段部４７が形成されている。
【符号の説明】
【００５０】
１０、１１０    スライドファスナー用スライダー
２０、１２０    胴体
２７、１２７    エレメント案内路
３１、１３１    柱部
４０、１４０    ロック部材
４０ａ，１４０ａ  本体部
４５、１４５    爪部
４６    斜面
４７    段部
５０、１５０    カバー部材
８０    スライドファスナー
８２    ファスナーエレメント列
８２ａ  ファスナーエレメント
８５    開き具（開離嵌挿具）
８８    蝶棒
Ａ１    段部の形成範囲
Ａ２    斜面の形成範囲
Ｗ１    本体部の板厚
Ｗ２    爪部の板厚
【図１】
2012147181.tif 000003
【図２】
2012147181.tif 000004
【図３】
2012147181.tif 000005
【図４】
2012147181.tif 000006
【図５】
2012147181.tif 000007
【図６】
2012147181.tif 000008
【図７】
2012147181.tif 000009
【図８】
2012147181.tif 000010
【図９】
2012147181.tif 000011
【図１０】
2012147181.tif 000012
【図１１】
2012147181.tif 000013
【図１２】
2012147181.tif 000014
【図１３】
2012147181.tif 000015
【図１４】
2012147181.tif 000016
【図１５】
2012147181.tif 000017
【図１６】
2012147181.tif 000018
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
胴体（２０，１２０）と、
前記胴体の上面に立設される柱部（３１，１３１）に揺動可能に支持されるロック部材（４０，１４０）と、
前記柱部及び前記ロック部材を上方から覆うカバー部材（５０，１５０）と、を備え、
前記ロック部材は、前記胴体の上面に配置される本体部（４０ａ，１４０ａ）と、前記本体部から突設され、前記胴体のエレメント案内路（２７，１２７）に入り込む爪部（４５，１４５）と、を有するスライドファスナー用スライダー（１０，１１０）であって、
前記爪部の一側面には、前記爪部の先端に向けて前記爪部を漸次先細状とする斜面（４６）が形成され、
前記爪部の他側面には、前記爪部の板厚（Ｗ２）を前記本体部の板厚（Ｗ１）よりも薄くする段部（４７）が形成されることを特徴とするスライドファスナー用スライダー。
【請求項２】
前記爪部（４５，１４５）の突設方向において、前記段部（４７）の形成範囲（Ａ１）が、前記斜面（４６）の形成範囲（Ａ２）よりも大きいことを特徴とする請求項１に記載のスライドファスナー用スライダー（１０，１１０）。
【請求項３】
前記斜面（４６）は、スライドファスナー（８０）の開離嵌挿具（８５）の蝶棒（８８）と接触して前記爪部（４５，１４５）が押し上げられることを特徴とする請求項１又は２に記載のスライドファスナー用スライダー（１０，１１０）。
【請求項４】
胴体（２０，１２０）と、
前記胴体の上面に立設される柱部（３１，１３１）に揺動可能に支持されるロック部材（４０，１４０）と、
前記柱部及び前記ロック部材を上方から覆うカバー部材（５０，１５０）と、を備え、
前記ロック部材は、前記胴体のエレメント案内路（２７，１２７）に入り込む爪部（４５，１４５）を有するスライドファスナー用スライダー（１０，１１０）であって、
前記爪部の板厚方向の一側面には、スライドファスナー（８０）の開離嵌挿具（８５）の蝶棒（８８）と接触して前記爪部が押し上げられる斜面（４６）が形成されることを特徴とするスライドファスナー用スライダー。
【手続補正２】
【補正対象書類名】明細書
【補正対象項目名】０００７
【補正方法】変更
【補正の内容】
【０００７】
本発明の上記目的は、下記の構成により達成される。
（１）胴体と、胴体の上面に立設される柱部に揺動可能に支持されるロック部材と、柱部及びロック部材を上方から覆うカバー部材と、を備え、ロック部材は、胴体の上面に配置される本体部と、本体部から突設され、胴体のエレメント案内路に入り込む爪部と、を有するスライドファスナー用スライダーであって、爪部の一側面には、爪部の先端に向けて爪部を漸次先細状とする斜面が形成され、爪部の他側面には、爪部の板厚を本体部の板厚よりも薄くする段部が形成されることを特徴とするスライドファスナー用スライダー。
（２）爪部の突設方向において、段部の形成範囲が、斜面の形成範囲よりも大きいことを特徴とする（１）に記載のスライドファスナー用スライダー。
（３）斜面は、スライドファスナーの開離嵌挿具の蝶棒と接触して爪部が押し上げられることを特徴とする（１）又は（２）に記載のスライドファスナー用スライダー。
（４）胴体と、胴体の上面に立設される柱部に揺動可能に支持されるロック部材と、柱部及びロック部材を上方から覆うカバー部材と、を備え、ロック部材は、胴体のエレメント案内路に入り込む爪部を有するスライドファスナー用スライダーであって、爪部の板厚方向の一側面には、スライドファスナーの開離嵌挿具の蝶棒と接触して爪部が押し上げられる斜面が形成されることを特徴とするスライドファスナー用スライダー。
【国際調査報告】
2012147181.tif 000019
2012147181.tif 000020
2012147181.tif 000021
2012147181.tif 000022